(57)【要約】      （修正有）【課題】非接触ＩＣカードを用いた無線端末装置の認証処理を、高いセキュリティを維持したままで簡便に行うことが可能な無線端末装置を提供する。【解決手段】所定の局との間で双方向の無線通信を行う機能及び非接触で近接したＩＣカードとの間で双方向の非接触通信を行うリーダ／ライタ機能を有する無線端末装置において、無線通信を行う度に発行される通信ＩＤを非接触通信により送信し、当該送信された通信ＩＤを用いた無線通信が終了した後、該通信ＩＤを消去する。【選択図】図１
2006195627.tif 000002
【特許請求の範囲】
【請求項１】
所定の局との間で双方向の無線通信を行う機能及び非接触で近接したＩＣカードとの間で双方向の非接触通信を行うリーダ／ライタ機能を有する無線端末装置の制御方法であって、
無線通信を行う度に、無線通信を行うための通信ＩＤを発行する通信ＩＤ発行工程と、
前記通信ＩＤ発行工程で発行された通信ＩＤを、非接触で近接したＩＣカードに非接触通信により送信する通信ＩＤ非接触送信工程と、
前記通信ＩＤ非接触送信工程で送信された通信ＩＤを用いて他の無線端末装置と無線通信を行う無線通信工程と、
前記無線通信工程終了後、前記通信ＩＤ発行工程で発行された通信ＩＤを消去する通信ＩＤ消去工程とを含むことを特徴とする無線端末装置の制御方法。
【請求項２】
前記通信ＩＤ発行工程は一定時間毎に実行されることを特徴とする請求項１に記載の無線端末装置の制御方法。
【請求項３】
無線通信手段を有し、所定の局との間で双方向の無線通信を行う無線端末装置において、
無線通信を行う度に、無線通信を行うための通信ＩＤを発行する通信ＩＤ発行手段と、
前記通信ＩＤ発行手段で発行された通信ＩＤを、非接触で近接したＩＣカード手段に非接触通信により送信するリーダ／ライタ手段と、
前記通信ＩＤ発行手段で発行された通信ＩＤを消去する通信ＩＤ消去手段とを有し、
前記無線通信手段は、前記リーダ／ライタ手段で送信された通信ＩＤを用いて他の無線端末装置と無線通信を行い、
前記通信ＩＤ消去手段は、前記無線通信手段による他の無線端末装置との無線通信が終了した後、通信ＩＤを消去することを特徴とする無線端末装置。
【請求項４】
前記通信ＩＤ発行手段は、一定時間毎に通信ＩＤを発行することを特徴とする請求項３に記載の無線端末装置。
【請求項５】
所定の局との間で双方向の無線通信を行う第１の無線通信手段及び非接触で近接したＩＣカード手段との間で双方向の非接触通信を行うリーダ／ライタ手段を有する受付端末装置と、
被写体を撮像して画像データに光電変換して取り込む撮像手段、前記撮像手段で取り込まれた画像データを記憶する画像データ記憶手段、所定の局との間で双方向の無線通信を行う第２の無線通信手段及び非接触で近接したリーダ／ライタ手段との間で双方向の非接触通信を行うＩＣカード手段とを有する撮像装置とを含む画像データ通信システムであって、
無線通信を行う度に、無線通信を行うための通信ＩＤを発行する通信ＩＤ発行手段と、
前記通信ＩＤ発行手段で発行された通信ＩＤを消去する通信ＩＤ消去手段とを有し、
前記リーダ／ライタ手段は、前記通信ＩＤ発行手段で発行された通信ＩＤを、非接触で近接したＩＣカード手段に非接触通信により送信し、
前記第２の無線通信手段は、前記リーダ／ライタ手段で送信された通信ＩＤを用いて前記第１の無線通信手段に対して無線通信により画像データを送信し、
通信ＩＤ消去手段は、前記第１の無線通信手段と前記第２の無線通信手段との無線通信が終了した後、通信ＩＤを消去することを特徴とする画像データ通信システム。
【請求項６】
コンピュータに、
無線通信を行う度に、無線通信を行うための通信ＩＤを発行する通信ＩＤ発行工程、
前記通信ＩＤ発行工程で発行された通信ＩＤを、非接触で近接したＩＣカードに非接触通信により送信する通信ＩＤ非接触送信工程、
前記通信ＩＤ非接触送信工程で送信された通信ＩＤを用いて他の無線端末装置と無線通信を行う無線通信工程、及び
前記無線通信工程終了後、前記通信ＩＤ発行工程で発行された通信ＩＤを消去する通信ＩＤ消去工程を実行させることを特徴とするプログラム。
【請求項７】
前記コンピュータに、
一定時間毎に前記通信ＩＤ発行工程を実行させることを特徴とする請求項６に記載のプログラム。
【発明の詳細な説明】
【技術分野】
【０００１】
本発明は、無線端末装置の制御方法、無線端末装置、画像データ通信システム及びプログラムに関する。
【背景技術】
【０００２】
無線ＬＡＮシステムの高速化、低価格化に伴い、その需要が著しく増加してきている。ＢｌｕｅｔｏｏｔｈやＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１に加え、最近では、ＩＥＥＥ８０２．１５．３に代表されるように、２０Ｍｂｐｓを越える高速の近距離無線パーソナル・エリア・ネットワークの標準化活動が積極的に行われている。
【０００３】
例えばＵＷＢ（Ｕｌｔｒａ  Ｗｉｄｅ  Ｂａｎｄ：ウルトラワイドバンド）伝送方式では、数１００ピコ秒程度の非常に短い周期のインパルス信号列を用いて情報信号を構成して、この信号列の送受信を行う。その占有帯域幅は、ＧＨｚオーダの超広帯域なものとなっており、他の方式の通信システムとの共存が比較的容易となっている（例えば、特許文献１参照）。
【０００４】
近距離無線パーソナル・エリア・ネットワークを使用したシステムの一例としては、カメラ付き携帯電話機に無線ＬＡＮによる通信を行う通信手段を設け、撮像により画像データを取得したユーザが、カメラ付き携帯電話機を持って無線ＬＡＮ通信装置の通信可能エリア内に入ると、画像データが無線ＬＡＮ通信装置に送信され、写真店の画像サーバに保管されるネットワークプリントシステムがある（例えば、特許文献２）。
【０００５】
ところで、ＵＷＢやＢｌｕｅｔｏｏｔｈなどの近距離無線通信システムでは、周囲に存在する機器を発見するための問い合わせメッセージは通信可能範囲（例えば１０メートルから１００メートル）にある全ての機器が対象となる。そのため、周囲に多くの通信可能な機器が存在する場合には膨大な数の応答メッセージを受信することになる。通常、それらの応答メッセージに含まれる機器の情報を、ディスプレイなどに表示することによって提示し、ユーザが所望の機器を選択するという操作手順を必要とするが、周囲に多くの機器が存在する場合、ユーザはその選択操作に非常に多くの時間を費やし、使い勝手が悪くなってしまうという問題があり、ユーザに過度の負担を強いる可能性があった。
【０００６】
このような課題に対して、画像送信装置及び画像受信装置による画像送受信を行う前に、非接触ＩＣカードの一形態である非接触ＩＤタグによって認証処理を行うようにする画像通信システムが提案されている（例えば、特許文献３参照）。特許文献３に記載された画像通信システムでは、機種又は利用者の管理を非接触ＩＤタグで行っているため、複雑な操作なしに、画像補正データベースを適切に利用することができ、さらに複数人でプリント端末を利用した場合等に、完成したプリントを取り違えることがなくなり、また、先客がプリント中でも並んで待つ必要がなくなるものである。
【０００７】
一方、非接触ＩＣカードを利用して、近距離でのデータ通信を行うことは各種実用化されている。例えば、鉄道等の乗車券として非接触ＩＣカードを使用する「Ｓｕｉｃａ」や「ＩＣＯＣＡ」が実用化されている。具体的には、改札口に非接触ＩＣカードのリーダ／ライタを設置し、改札口を通過するときに、非接触ＩＣカードをリーダ／ライタに近接させて、非接触ＩＣカードに記憶されたデータを読み出して認証処理などを行うことが行われている。上述した乗車券以外でも、「ＦｅｌｉＣａ」や「Ｅｄｙ」に代表される電子マネー用のカード、社員証などの個人認証用のカードなどに、非接触ＩＣカードが使われつつある。（例えば、非特許文献１参照）。
【０００８】
このような非接触ＩＣカードとしては、バッテリを内蔵するタイプと、バッテリを内蔵しないタイプがあるが、取り扱いの容易性や寿命などの点から、バッテリを内蔵しないタイプが普及しつつある。バッテリを内蔵しない非接触ＩＣカードの場合には、リーダ／ライタ側から電力波を送り、ＩＣカード側のアンテナでその電力波を受信して、ＩＣカード内のコンデンサに蓄えて、ＩＣカードの駆動電力として利用するものである。従って、ＩＣカードはリーダ／ライタに非常に近接させる必要がある。なお、非接触ＩＣカードは必ずしもカード型の形状である必要はないが、本明細書では、この種の非接触で近距離通信を行う構成のものを、非接触ＩＣカードあるいはＩＣカードと称する。
【特許文献１】特開２００３−１４３６４４号公報
【特許文献２】特開２００３−２８１０２８号公報
【特許文献３】特開２００４−２１５０９０号公報
【非特許文献１】日経エレクトロニクス、ｎｏ．８７８、１０２〜１１９頁、日経ＢＰ社、２００４年７月１９日発行
【発明の開示】
【発明が解決しようとする課題】
【０００９】
しかしながら、特許文献３に記載の画像通信システムにおいては、画像送信装置を認証するための認証情報（以下、通信ＩＤともいう）は、非接触ＩＤタグに予め記憶されたものを常時使用しており、悪意を有する者が非接触ＩＤタグから通信ＩＤを搾取すると、通信の秘匿が担保できなくなる可能性がある。特に、双方向の無線通信機能を有する撮像装置や携帯電話機は持ち出して使うことが多いため、テーブルの上に置き忘れたり、画像受信装置に置き忘れたりすることがしばしばあり、通信ＩＤが他者に悪用されないようにする必要があった。
【００１０】
本発明は、上記課題に鑑みてなされたものであり、非接触ＩＣカードを用いた無線端末装置の認証処理を、高いセキュリティを維持したままで簡便に行うことが可能な無線端末装置を提供することを目的とする。
【課題を解決するための手段】
【００１１】
本発明の目的は、下記構成により達成することができる。
【００１２】
請求項１に係る発明は、所定の局との間で双方向の無線通信を行う機能及び非接触で近接したＩＣカードとの間で双方向の非接触通信を行うリーダ／ライタ機能を有する無線端末装置の制御方法であって、
無線通信を行う度に、無線通信を行うための通信ＩＤを発行する通信ＩＤ発行工程と、
前記通信ＩＤ発行工程で発行された通信ＩＤを、非接触で近接したＩＣカードに非接触通信により送信する通信ＩＤ非接触送信工程と、
前記通信ＩＤ非接触送信工程で送信された通信ＩＤを用いて他の無線端末装置と無線通信を行う無線通信工程と、
前記無線通信工程終了後、前記通信ＩＤ発行工程で発行された通信ＩＤを消去する通信ＩＤ消去工程とを含むことを特徴とする無線端末装置の制御方法である。
【００１３】
請求項２に係る発明は、前記通信ＩＤ発行工程は一定時間毎に実行されることを特徴とする請求項１に記載の無線端末装置の制御方法である。
【００１４】
請求項３に係る発明は、無線通信手段を有し、所定の局との間で双方向の無線通信を行う無線端末装置において、
無線通信を行う度に、無線通信を行うための通信ＩＤを発行する通信ＩＤ発行手段と、
前記通信ＩＤ発行手段で発行された通信ＩＤを、非接触で近接したＩＣカード手段に非接触通信により送信するリーダ／ライタ手段と、
前記通信ＩＤ発行手段で発行された通信ＩＤを消去する通信ＩＤ消去手段とを有し、
前記無線通信手段は、前記リーダ／ライタ手段で送信された通信ＩＤを用いて他の無線端末装置と無線通信を行い、
前記通信ＩＤ消去手段は、前記無線通信手段による他の無線端末装置との無線通信が終了した後、通信ＩＤを消去することを特徴とする無線端末装置である。
【００１５】
請求項４に係る発明は、前記通信ＩＤ発行手段は、一定時間毎に通信ＩＤを発行することを特徴とする請求項３に記載の無線端末装置である。
【００１６】
請求項５に係る発明は、所定の局との間で双方向の無線通信を行う第１の無線通信手段及び非接触で近接したＩＣカード手段との間で双方向の非接触通信を行うリーダ／ライタ手段を有する受付端末装置と、
被写体を撮像して画像データに光電変換して取り込む撮像手段、前記撮像手段で取り込まれた画像データを記憶する画像データ記憶手段、所定の局との間で双方向の無線通信を行う第２の無線通信手段及び非接触で近接したリーダ／ライタ手段との間で双方向の非接触通信を行うＩＣカード手段とを有する撮像装置とを含む画像データ通信システムであって、
無線通信を行う度に、無線通信を行うための通信ＩＤを発行する通信ＩＤ発行手段と、
前記通信ＩＤ発行手段で発行された通信ＩＤを消去する通信ＩＤ消去手段とを有し、
前記リーダ／ライタ手段は、前記通信ＩＤ発行手段で発行された通信ＩＤを、非接触で近接したＩＣカード手段に非接触通信により送信し、
前記第２の無線通信手段は、前記リーダ／ライタ手段で送信された通信ＩＤを用いて前記第１の無線通信手段に対して無線通信により画像データを送信し、
通信ＩＤ消去手段は、前記第１の無線通信手段と前記第２の無線通信手段との無線通信が終了した後、通信ＩＤを消去することを特徴とする画像データ通信システムである。
【００１７】
請求項６に係る発明は、コンピュータに、
無線通信を行う度に、無線通信を行うための通信ＩＤを発行する通信ＩＤ発行工程、
前記通信ＩＤ発行工程で発行された通信ＩＤを、非接触で近接したＩＣカードに非接触通信により送信する通信ＩＤ非接触送信工程、
前記通信ＩＤ非接触送信工程で送信された通信ＩＤを用いて他の無線端末装置と無線通信を行う無線通信工程、及び
前記無線通信工程終了後、前記通信ＩＤ発行工程で発行された通信ＩＤを消去する通信ＩＤ消去工程を実行させることを特徴とするプログラムである。
【００１８】
請求項７に係る発明は、前記コンピュータに、
一定時間毎に前記通信ＩＤ発行工程を実行させることを特徴とする請求項６に記載のプログラムである。
【発明の効果】
【００１９】
請求項１、請求項３及び請求項６に記載の発明によれば、無線通信を行う度に発行される通信ＩＤを非接触通信により送信し、当該送信された通信ＩＤを用いた無線通信が終了した後、該通信ＩＤ消去するので、通信ＩＤを悪用したなりすまし行為を防止することができ、高いセキュリティを維持したままで無線通信の認証処理を簡便に行うことが可能となる。
【００２０】
請求項２、請求項４及び請求項７に記載の発明によれば、一定時間毎に通信ＩＤが発行され、当該一定時間毎に発行される通信ＩＤを用いた無線通信が行われるので、無線通信中に通信ＩＤが漏洩しても、継続的に通信内容の傍受は不可能となるので、高いセキュリティを維持することが可能となる。
【００２１】
請求項５に記載の発明によれば、無線通信を行う度に通信ＩＤ発行手段で発行された通信ＩＤを、非接触で近接したＩＣカードに非接触通信により送信し、送信された通信ＩＤを用いた無線通信が終了した後、該通信ＩＤを消去するので、通信ＩＤを悪用したなりすまし行為を防止することができ、高いセキュリティを維持したままで画像データを送受信するための無線通信の認証処理を簡便に行うことが可能となる。
【発明を実施するための最良の形態】
【００２２】
以下、図面に基づき本発明の実施の形態を説明する。
【００２３】
本発明に係る無線端末装置が適用された無線通信システムの第１の実施の形態について説明する。
【００２４】
図１は本発明に係る無線端末装置が適用された無線通信システムの機能的構成を概念的に示すブロック図である。
【００２５】
本発明に係る無線端末装置が適用された無線通信システムの第１の実施の形態は、受付端末装置の通信ＩＤ発行手段で発行された通信ＩＤを、非接触で近接した携帯端末装置のＩＣカードに非接触通信により送信し、さらに携帯端末装置から撮像装置に無線通信により送信し、該送信された通信ＩＤを用いて受付端末装置と撮像装置との間で無線通信を行うことにより、ＩＣカード機能を持たない撮像装置に対して、無線通信を行う機能及びＩＣカード機能を有する携帯端末装置を経由して、受付端末装置で発行された通信ＩＤを送信する画像データ通信システムである。
【００２６】
本実施の形態に係る無線通信システムは、受付端末１０と、携帯電話機２０と、デジタルカメラ３０とからなり、受付端末１０とデジタルカメラ３０並びに携帯電話機２０とデジタルカメラ３０は、無線通信媒体Ｒ１並びにＲ２を介して互いに無線通信することができる。また、受付端末１０と携帯電話機２０とは、非接触通信媒体Ｆを介して互いに非接触通信することができる。
【００２７】
なお、無線通信及び非接触通信ともに、所定の局との間で双方向の無線通信を行うものであるが、本発明においては、例えば非接触で近接したリーダ／ライタとＩＣカードとの間で行われる近距離に限定された無線通信のことを非接触通信といい、非接触通信以外の無線通信のことを単に無線通信ということにする。
【００２８】
本発明に係る無線端末装置及び受付端末装置として機能する受付端末１０は、制御部１０１、操作表示部１０２、記憶部１０３、通信部１０４、無線通信部１０５、リーダ／ライタ１０７等からなり、バス１０８を介して接続されている。受付端末１０は主として、デジタルスチルカメラやカメラ付き携帯電話機等の撮像装置で撮影された画像データを、通信媒体や記憶媒体を介して読み出して表示するとともに、該画像データに対するプリント注文や送付宛先を受け付け、画像データ及びプリント注文をネットワークＮを介して図示しない画像サーバや送付宛先等に転送する機能を有する。
【００２９】
受付端末１０の制御部１０１は、図示しないＣＰＵ（中央処理装置）及びワークメモリ等から構成され、記憶部１０３に記憶されているプログラムをワークメモリに読み出し、当該プログラムに従って受付端末１０の各部を集中制御する。
【００３０】
受付端末１０の操作表示部１０２は、透明電極が格子状に配置された感圧式（抵抗膜圧式）のタッチパネルと各種操作ボタンとから構成され、読み出された画像データを表示し、ユーザに各種の案内表示や状態表示を行ったり、ユーザから各種の操作を受け付ける機能を有し、手指や専用のタッチペン等で押された力点のＸＹ座標やボタン操作を検出し、操作信号として制御部１０１に出力する。
【００３１】
受付端末１０の記憶部１０３は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−ＯｎｌｙＭｅｍｏｒｙ）等の不揮発性の半導体メモリと、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）などの揮発メモリにより構成され、不揮発メモリには受付端末１０で実行可能な各種プログラムや機能に応じた設定内容などを、揮発メモリには通信部１０４や無線通信部１０５が受信した画像ファイルなどを記憶する。
【００３２】
記憶媒体であるリムーバブルメモリ１０３ａは、受付端末１０や携帯電話機２０等に対して着脱可能なメモリであり、例えばフラッシュメモリ等の着脱自在のカード形状若しくはスティック形状の半導体メモリ等が適用され、画像ファイルを含む各種データを記憶する。リムーバブルメモリ１０３ａに記憶された画像データは、公知の画像ファイルフォーマットで記憶されており、リムーバブルメモリ１０３ａが受付端末１０に装着されることによって読み出される。なお、リムーバブルメモリ１０３ａを受付端末１０に装着することで画像データの読み出を行う場合、無線通信を使用していないので、画像データは認証手順や符号化手順を経ることなく読み出され、高速な画像データの読み出が可能となる。
【００３３】
受付端末１０の通信部１０４は、ＬＡＮ等の通信媒体であるネットワークＮに接続されており、ネットワークＮに接続された図示しない画像サーバやプリント装置等と、１種類以上のネットワークプロトコルを使用して、画像ファイル及びプリント注文を含む各種データを送受信する機能を有する。
【００３４】
第１の無線通信手段として機能する受付端末１０の無線通信部１０５は、無線信号Ｒ１を介して、無線通信機能を有する携帯電話機２０やデジタルカメラ３０、ＰＤＡ（Ｐｅｒｓｏｎａｌ  Ｄｉｇｉｔａｌ  Ａｓｓｉｓｔａｎｔ）等と、１種類以上の無線ネットワークプロトコルを使用して、通信部１０４と同様の、画像ファイル及び各種制御データを含む各種データを送受信する機能を有する。
【００３５】
なお、無線通信の方式及び手順は特に制限はなく、例えばＷ−ＣＤＭＡ方式、ｃｄｍａ２０００方式、ＳＳ（Ｓｐｒｅａｄ  Ｓｐｅｃｔｒｕｍ）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式、ＷｉｒｅｌｅｓｓＵＳＢとも呼ばれるＵＷＢ伝送方式、Ｂｌｕｅｔｏｏｔｈ、Ｗｉ−Ｆｉ  （Ｗｉｒｅｌｅｓｓ  Ｆｉｄｅｌｉｔｙ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｂ等が用いられる。また、無線通信部１０５は、アンテナ１０６を具備している。
【００３６】
リーダ／ライタ手段として機能するリーダ／ライタ１０７は、図示しない送信アンテナを備えた送信部及び受信アンテナを備えた受信部等からなり、後述するＩＣカードが近接したときに双方向の非接触通信を行い、ＩＣカードに書き込まれた情報を読み取り、ＩＣカードに情報を書き込む。リーダ／ライタ１０７は、キャリア信号を送信部で変調させて電力用電波信号として送信し、１ｃｍから３０ｃｍ程度の所定の領域に電波エリアを形成する。その後、送信すべきデータ信号を電力用電波信号に重畳するように送信部で変調させて送信する。ＩＣカードから送信された電波信号については、これを受信アンテナで受信し、受信部で復調させて各種情報として処理するようになっている。なお、非接触通信の方式及び手順は特に制限はなく、例えば、ＩＳＯ／ＩＥＣ１４４４３  ＴｙｐｅＡ／ＴｙｐｅＢ規格に準拠した方式や、ＦｅｌｉＣａ、ＮＦＣ（Ｎｅａｒ  Ｆｉｅｌｄ  Ｃｏｍｍｕｎｉｃａｔｉｏｎ）等が用いられる。
【００３７】
携帯端末装置として機能する携帯電話機２０は、制御部２０１、操作部２０２、表示部２０３、記憶部２０４、移動体通信部２０５、無線通信部２０６、リーダ／ライタ２０８、ＩＣカード２０９、有線通信部２１０等からなり、バス２１１を介して接続されている。携帯電話機２０は主として、受付端末１０とデジタルカメラ３０とが無線通信を開始するのに必要な手続を仲介するとともに、受付端末１０で実行されたプリントや画像データ転送の料金を支払う機能を有する。
【００３８】
携帯電話機２０の制御部２０１は、受付端末１０の制御部１０１と同様の構成で、携帯電話機２０の各部を集中制御する。
【００３９】
操作部２０２は、各種操作ボタンを備えており、携帯電話機能における各種操作、各種設定メニューの表示及びセット等のボタン操作を検出して、操作信号として制御部２０１に出力する。操作部２０２は、受付端末１０の表示操作部１０２と同様に、透明電極が格子状に配置された感圧式（抵抗膜圧式）のタッチパネルにより構成し、表示部２０３と機能を兼用することも可能である。この場合は、手指や専用のタッチペン等で押された力点のＸＹ座標を電圧値で検出し、検出された位置信号を操作信号として制御部２０１に出力する。
【００４０】
表示部２０３は、ＬＣＤ（Ｌｉｑｕｉｄ  Ｃｒｙｓｔａｌ  Ｄｉｓｐｌａｙ）等からなり、制御部２０１から入力される表示信号に従って画面上に、無線通信部２０６や移動体通話部２０５を介して入力された画像の表示や、携帯電話機２０の各種設定や状態表示を行う。
【００４１】
携帯電話機２０の記憶部２０４は、受付端末１０の記憶部１０３と同様に、携帯電話機２０で実行可能な各種プログラムや機能に応じた設定内容などを記憶する。
【００４２】
移動体通信部２０５は、いわゆる携帯電話機としての機能を実現するもので、図示しないＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やメモリ等から構成され、移動体通信網Ｍを介して、他の携帯電話機や情報処理装置と信号化された音声や画像データの送受信を行うとともに、通話を行うための音声の信号化及び信号化された音声の解読を行う。
【００４３】
携帯電話機２０の無線通信部２０６は、受付端末１０の無線通信部１０５と同様に、アンテナ２０７を具備しており、無線信号Ｒ２を介して、無線通信機能を有する受付端末１０やデジタルカメラ３０、他の携帯電話機、ＰＤＡ等と、１種類以上の無線ネットワークプロトコルを使用して、画像ファイル及び各種制御データを含む各種データを送受信する機能を有する。
【００４４】
リーダ／ライタ２０８は、受付端末１０のリーダ／ライタ１０７と同様の構成で、ＩＣカード２０９に書き込まれた情報を読み取り、ＩＣカード２０９に情報を書き込む。
【００４５】
ＩＣカード手段として機能するＩＣカード２０９は、図示しないアンテナ、共振コンデンサ、変復調回路、整流・平滑回路、記憶素子等で構成されており、近接するリーダ／ライタ手段と双方向の非接触通信を行い、ＩＣカードに書き込まれた情報が読み取られ、書き込まれる。アンテナは、共振コンデンサと接続されて共振回路を構成し、リーダ／ライタ手段から所定の高周波数の電力用電波信号が送信されてくると、これを受信して整流・平滑回路に供給する。整流・平滑回路は、動作用電源回路を構成するもので、共振回路から送信されてきた電力用電波信号を整流し、平滑化して一定電圧の直流電力（動作用電力）にして受信したデータを記憶素子に書き込んだり、記憶素子からデータを読み出して変復調回路により変調し、アンテナから電波信号として送信したりする。
【００４６】
有線通信部２１０は、ＵＳＢ（Ｕｎｉｖｅｒｓａｌ  Ｓｅｒｉａｌ  Ｂｕｓ）やＬＡＮ等の通信媒体に接続されており、通信媒体に接続されたデジタルカメラ３０や図示しない画像サーバやプリント装置等と、１種類以上のネットワークプロトコルを使用して、画像ファイル及びプリント注文を含む各種データを送受信する機能を有する。
【００４７】
本発明に係る他の無線端末装置及び撮像装置として機能するデジタルカメラ３０は、主として被写体を撮影して画像データを画像ファイル形式で記録する機能を有する。デジタルカメラ３０は、制御部３０１、操作部３０２、表示部３０３、記憶部３０４、撮像部３０５、画像処理部３０６、無線通信部３０７、有線通信部３０９等からなり、バス３１０を介して接続されている。
【００４８】
制御部３０１は、受付端末１０の制御部１０１及び携帯電話機２０の制御部２０１と同様の構成で、デジタルカメラ３０の各部を集中制御する。
【００４９】
操作部３０２は、携帯電話機２０の操作部３０２と同様の構成で、各種操作、各種設定メニューの表示及びセット等のボタン操作を検出して、操作信号として制御部３０１に出力する。
【００５０】
表示部３０３は、携帯電話機２０の表示部２０３と同様の構成で、制御部３０１から入力される表示信号に従って画面上に、撮像部３０５から出力された画像の表示や、デジタルカメラ３０の各種設定や状態表示を行う。
【００５１】
デジタルカメラ３０の記憶部３０４は、受付端末１０の記憶部１０３及び携帯電話機２０の記憶部２０４と同様に、デジタルカメラ３０で実行可能な各種プログラムや機能に応じた設定内容などを記憶する。
【００５２】
リムーバブルメモリ３０４ａは、リムーバブルメモリ１０３ａと同様に受付端末１０やデジタルカメラ３０等に対して着脱可能なメモリであり、撮像部３０５から出力された画像データが、公知の画像ファイルフォーマットで記憶される。
【００５３】
撮像部３０５は、図示しない撮影レンズ、エレクトロフラッシュ、及びＣＣＤ（Ｃｈａｒｇｅ  Ｃｏｕｐｌｅｄ  Ｄｅｖｉｃｅ）等の光電変換素子からなり、被写体の光学像をＣＣＤの各画素で光電変換された電荷信号をＡ／Ｄ（アナログ／デジタル）変換して、１０ビットのデジタル信号からなる画像データとして出力する。
【００５４】
画像処理部３０６は、図示しないＡＳＩＣ等から構成され、撮像部３０５から出力された画像データに対して、黒レベル補正、γ補正、ホワイトバランス補正等の公知の画像処理を行う。
【００５５】
第２の無線通信手段として機能するデジタルカメラ３０の無線通信部３０７は、受付端末１０の無線通信部１０５及び携帯電話機２０の無線通信部２０６と同様に、アンテナ３０８を具備しており、無線信号Ｒ１を介して、受付端末１０や他のデジタルカメラ等と画像ファイル及び各種制御データを含む各種データを送受信する機能を有する。
【００５６】
有線通信部３０９は、携帯電話機２０の有線通信部２１０と同様の構成で、通信媒体に接続された携帯電話機２０や図示しない画像サーバやプリント装置等と画像ファイル及びプリント注文を含む各種データを送受信する機能を有する。
【００５７】
図２は、図１に示した無線通信システムを構成する受付端末１０、携帯電話機２０及びデジタルカメラ３０の外観を模式的に示す斜視図である。図１に示したものと同様の構成要素には同一の符号を付して説明を省略する。
【００５８】
受付端末１０は、タッチパネル１１、クレードル１２、メモリカードスロット１３、ＩＣカード読み取り部１４等を備え、これらは筐体１５に保持されている。
【００５９】
タッチパネル１１は、図１の操作表示部１０２の一部を構成する。タッチパネル１１は、読み出された画像データを表示し、ユーザに各種の案内表示や状態表示を行ったり、ユーザから各種の操作入力を受け付ける。
【００６０】
クレードル１２は、デジタルカメラ３０等の端末装置を載置する載置台であり、載置された端末装置が落ちたりずれたりしないように、表面には滑り止め加工がされている。また、クレードル１２を構成する壁面には図１のアンテナ１０６が内蔵され、デジタルカメラ３０との無線通信を可能としている。なお、より確実な無線通信を行うためには、クレードル１２に蓋体を設け、蓋体にもアンテナ１０６を内蔵することが好ましい。
【００６１】
メモリスロット１３は、図１のリムーバブルメモリ１０３ａとのインタフェースとして機能し、マルチメディアカード（登録商標）、メモリースティック（登録商標）等の図示しないリムーバブルメモリが差し込み可能になっている。
【００６２】
ＩＣカード読み取り部１４には、図１のリーダ／ライタ１０７が内蔵されており、ＩＣカード読み取り部１４に近接又は接触したＩＣカードとの非接触通信を可能としている。
【００６３】
携帯電話機２０は、ディスプレイ２１、操作ボタン２２、送話口２３、通話スピーカ２４、通信コネクタ２５等を備え、これらは筐体２６に保持されている。
【００６４】
ディスプレイ２１は図１の表示部２０３の一部を構成し、操作ボタン２２は図１の操作部２０２の一部を構成する。送話口２３及び通話スピーカ２４は、図１の移動体通話部２０５の一部を構成する。図１の有線通信部２１０の一部を構成する通信コネクタ２５は、図示しない通信ケーブルのコネクタと係合し、電気的接続可能な形状及び回路構成を有している。
【００６５】
図１のＩＣカード２０９は、筐体２６のディスプレイ２１や操作ボタン２２が設けられた側とは反対側の裏面近傍に内蔵されており、受付端末１０でＩＣカードの読み書きを行う際には、携帯電話機２０の筐体２６裏面側をＩＣカード読み取り部１４に接触させるようにする。
【００６６】
デジタルカメラ３０は、撮影レンズ３１、シャッタボタン３２、通信コネクタ３３等を備える。
【００６７】
撮影レンズ３１は図１の撮像部３０５の一部を構成し、シャッタボタン３２は図１の操作部３０２の一部を構成する。図１の有線通信部２０９の一部を構成する通信コネクタ３３は、携帯電話機２０の通信コネクタ２５と同様の構成を有している。
【００６８】
図１に示した受付端末１０の制御部１０１及び記憶部１０３の詳細について、図３を用いて説明する。図３は、図１の受付端末１０の制御部１０１及び記憶部１０３の内部構成を示すブロック図である。
【００６９】
制御部１０１は、通信ＩＤ発行手段１０１１、通信ＩＤ消去手段１０１２、計時タイマ１０１３、認証手段１０１４、復号化手段１０１５としての機能も有し、記憶部１０３は、通信ＩＤ記憶手段１０３１としての機能も有する。
【００７０】
通信ＩＤ発行手段１０１１は、本発明に係る無線端末装置である受付端末１０と他の無線端末装置であるデジタルカメラ３０との間で双方向の無線通信を行う際に、受付端末１０がデジタルカメラ３０を認証するために必要となる通信ＩＤを発行する。通信ＩＤは、受付端末１０とデジタルカメラ３０との１回の通信にのみ有効で、発行された時点で予め有効期限が定められており、計時タイマ１０１３の計時に基づいて定期的に発行される。
【００７１】
通信ＩＤは、例えば１２８ｂｉｔのデータ長を有する文字列であり、本実施の形態においてはＷＥＰやＥＡＰ−ＭＤ５  （Ｅｘｔｅｎｓｉｂｌｅ  Ａｕｔｈｅｎｔｉｃａｔｉｏｎ  Ｐｒｏｔｏｃｏｌ−Ｍｅｓｓａｇｅ  Ｄｉｇｅｓｔ  ５）に代表される暗号化通信のための暗号鍵を兼用している。したがって、通信ＩＤ発行手段１０１１で発行される通信ＩＤは、なりすましや通信データの盗聴、改ざんを防止するために、図示しない乱数発生装置等により規則性を持たないようにされていることが好ましい。また、通信ＩＤには、当該通信ＩＤが発行された時刻と、当該通信ＩＤの有効期限が含まれるようにすることで、通信ＩＤを消去したり、再発行する制御を円滑に行う上で好ましい。
【００７２】
通信ＩＤ発行手段１０１１で発行された通信ＩＤは、記憶部１０３の通信ＩＤ記憶手段１０３１に記憶され、受付端末１０とデジタルカメラ３０とが無線通信を行う際の、デジタルカメラ３０の認証及びデジタルカメラ３０から暗号化されて送信されたデータの復号化等に用いられる。
【００７３】
通信ＩＤ消去手段１０１２は、受付端末１０とデジタルカメラ３０との無線通信が完了したり、通信ＩＤの有効期限が経過する等により無効となった通信ＩＤを通信ＩＤ記憶手段１０３１から消去する。
【００７４】
計時タイマ１０１３は、計時開始トリガが入力された時刻を基準とした経過時間を計時する。
【００７５】
認証手段１０１３は、受付端末１０とデジタルカメラ３０とが無線通信を開始するときに、デジタルカメラ３０を認証する。具体的には、デジタルカメラ３０から送信される通信ＩＤが、通信ＩＤ記憶手段１０３１に記憶された有効な通信ＩＤと一致するか否かを判断する。
【００７６】
復号化手段１０１４は、デジタルカメラ３０から暗号化されて送信されたデータを、暗号鍵で復号化する。本実施の形態では、通信ＩＤ記憶手段１０３１に記憶された通信ＩＤに基づいて、データが復号化される。
【００７７】
図１に示した携帯電話機２０の制御部２０１及び記憶部２０４の詳細について、図４を用いて説明する。図４は、図１の携帯電話機２０の制御部２０１及び記憶部２０４の内部構成を示すブロック図である。
【００７８】
携帯電話機２０の制御部１０１は、端末登録手段２０１１、認証手段２０１２、暗号化手段２０１３、復号化手段２０１４、通信ＩＤ消去手段１０１５としての機能も有し、記憶部２０４は、通信ＩＤ記憶手段１０４１、既定通信ＩＤ記憶手段２０４２としての機能も有する。
【００７９】
端末登録手段２０１１は、所定の操作を行うことにより、携帯電話機２０と無線通信可能な無線端末装置を登録するものであり、端末登録手段２０１１で登録された無線端末装置（本実施の形態においてはデジタルカメラ３０）との通信ＩＤである既定通信ＩＤは、既定通信ＩＤ記憶手段２０４２に記憶される。なお、既定通信ＩＤは、図３で説明した通信ＩＤと同様の構成であり、無線端末装置の個体を識別できるものであることが好ましい。
【００８０】
認証手段２０１２は、携帯電話機２０と、端末登録手段２０１１で予め登録された無線端末装置であるデジタルカメラ３０とが無線通信を開始するときに、デジタルカメラ３０を認証する。具体的には、デジタルカメラ３０から送信される既定通信ＩＤが、既定通信ＩＤ記憶手段２０４２に記憶された既定通信ＩＤと一致するか否かを判断する。
【００８１】
暗号化手段２０１３は、通信ＩＤ記憶手段３０４１に記憶された通信ＩＤを、端末登録手段２０１１で登録された無線端末装置に無線通信で送信する際に、当該通信ＩＤを暗号鍵で暗号化する。本実施の形態では、既定通信ＩＤ記憶手段２０４２に記憶された既定通信ＩＤを暗号鍵としてデータが暗号化される。
【００８２】
復号化手段２０１４は、デジタルカメラ３０から暗号化されて送信されたデータを、暗号鍵で復号化する。本実施の形態では、既定通信ＩＤ記憶手段２０４２に記憶された既定通信ＩＤを暗号鍵としてデータが復号化される。
【００８３】
記憶部２０４の通信ＩＤ記憶手段２０４１は、図３の通信ＩＤ発行手段１０１１で発行され、非接触通信により図１に示した携帯電話機２０のＩＣカード２０９に書き込まれ、携帯電話機２０のリーダ／ライタ２０８に読み取られた通信ＩＤを記憶する。
【００８４】
通信ＩＤ消去手段２０１５は、無線通信が完了したり、通信ＩＤの有効期限が経過する等により無効となった通信ＩＤを通信ＩＤ記憶手段２０４１から消去する。
【００８５】
図１に示した携帯電話２０のＩＣカード２０９の詳細について、図５を用いて説明する。図５は、図１に示した携帯電話２０のＩＣカード２０９の内部構成を示すブロック図である。
【００８６】
携帯電話２０のＩＣカード２０９には、エリアファイルと呼ばれる記憶領域が形成されており、例えば電子マネー２０９１、乗車券２０９２、無線通信２０９３の各エリアファイルが形成されている。なお、電子マネー２０９１、乗車券２０９２、無線通信２０９３の各エリアファイルともに、所定の操作によりＩＣカード２０９に作成される。
【００８７】
電子マネー用エリアファイル２０９１には、ＩＣカード２０９を用いて決済するための各種情報が含まれており、例えば利用可能残高、決済履歴等が含まれている。
【００８８】
乗車券用エリアファイル２０９２には、ＩＣカード２０９を乗車券として使用するための各種情報が含まれており、例えば定期券として使用可能な乗車区間、乗車駅、下車駅、乗車履歴等が含まれている。
【００８９】
無線通信用エリアファイル２０９３には、図４に示した端末登録手段２０１１で登録された無線端末装置が、ＩＣカード２０９と非接触通信可能な他の無線端末装置と無線通信するための各種情報が含まれており、例えば図３に示した通信ＩＤ発行手段１０１１で発行された通信ＩＤが含まれる。
【００９０】
図１に示したデジタルカメラ３０の制御部３０１及び記憶部３０４の詳細について、図６を用いて説明する。図６は、図１のデジタルカメラ３０の制御部３０１及び記憶部３０４の内部構成を示すブロック図である。
【００９１】
デジタルカメラ３０の制御部３０１は、通信ＩＤ消去手段３０１１、認証手段３０１２、暗号化手段３０１３、復号化手段３０１４としての機能も有し、記憶部３０４は、通信ＩＤ記憶手段３０４１、既定通信ＩＤ記憶手段３０４２としての機能も有する。
【００９２】
記憶部３０４の通信ＩＤ記憶手段３０４１は、図３の通信ＩＤ発行手段１０１１で発行され、携帯電話機２０から送信されて図１の無線通信部３０５で受信された通信ＩＤを記憶し、通信ＩＤ消去手段３０１１は、無線通信が完了したり、通信ＩＤの有効期限が経過する等により無効となった通信ＩＤを通信ＩＤ記憶手段３０４１から消去する。
【００９３】
認証手段３０１２は、第１の無線端末装置である受付端末１０と無線通信を開始するときに、受付端末１０を認証するとともに、第２の無線端末装置である携帯電話機２０と無線通信を開始するときに、携帯電話機２０を認証する。具体的には、受付端末１０の認証においては、受付端末１０から送信される通信ＩＤが、通信ＩＤ記憶手段３０４１に記憶された通信ＩＤと一致するか否かを判断し、携帯電話機２０の認証においては、携帯電話機２０から送信される既定通信ＩＤが、既定通信ＩＤ記憶手段３０４２に予め記憶された既定通信ＩＤと一致するか否かを判断する。
【００９４】
暗号化手段３０１３は、データを受付端末１０に無線通信で送信する際に、当該データを暗号鍵で暗号化する。本実施の形態では、通信ＩＤ記憶手段３０４１に記憶された通信ＩＤを暗号鍵としてデータが暗号化される。
【００９５】
復号化手段３０１４は、携帯電話機２０から暗号化されて送信された通信ＩＤを、暗号鍵で復号化する。本実施の形態では、既定通信ＩＤ記憶手段３０４２に記憶された既定通信ＩＤを暗号鍵としてデータが復号化される。
【００９６】
次に、図７乃至図１３を用いて本発明に係る画像データ通信システムの動作の一例を説明する。
【００９７】
図７は、本発明に係る無線端末装置である受付端末１０、携帯電話機２０及び本発明に係る他の無線端末装置であるデジタルカメラ３０により実行される無線通信処理の流れを示すフローチャートである。
【００９８】
なお、図７のフローチャートは、受付端末１０、携帯電話機２０及びデジタルカメラ３０の電源は投入された状態であり、ステップＳ１０においては、ユーザが携帯電話機２０に対して処理開始を指示する操作を行ってからのものであり、ステップＳ２０以降では、デジタルカメラ３０による撮像により画像データが取得された状態で、ユーザが受付端末１０に対して処理開始を指示する操作を行ってからのものである。
【００９９】
ステップＳ１０では、携帯電話機２０と無線通信可能なデジタルカメラ３０の端末登録処理が行われる。
【０１００】
ステップＳ２０では、受付端末１０により通信ＩＤ発行処理が行われ（通信ＩＤ発行工程）、発行された通信ＩＤが携帯電話２０に対して非接触通信により送信され（通信ＩＤ非接触送信工程）、携帯電話２０では、通信ＩＤ受付処理が行われる（ステップＳ２１）。
【０１０１】
ステップＳ３０では、携帯電話２０により、通信ＩＤ転送処理が行われ、転送された通信ＩＤがデジタルカメラ３０に対して無線通信により送信され（通信ＩＤ無線送信工程）、デジタルカメラ３０では、通信ＩＤ受付処理が行われる（ステップＳ３１）。
【０１０２】
ステップＳ４０では、受付端末１０とデジタルカメラ３０との間で無線通信による画像データ通信処理が行われる（無線通信工程）。具体的には、サムネイル画像データの送受信、本画像データの送受信及びプリントやストレージ等の注文データの送受信である。
【０１０３】
ステップＳ５０では、受付端末１０、携帯電話機２０及びデジタルカメラ３０それぞれにおいて、通信ＩＤ消去手段１０１２、２０１５、３０１１による通信ＩＤ消去処理が行われ（通信ＩＤ消去工程）、処理が終了する。
【０１０４】
以上、本実施の形態によれば、無線インタフェースを有するデジタルカメラ３０に対して、無線通信を行う機能及びＩＣカード機能を有する携帯電話機２０を経由して、受付端末１０で発行された通信ＩＤを送信することができ、高いセキュリティを維持したままで無線通信の認証処理を簡便に行うことが可能となる。
【０１０５】
また、無線インタフェースを有するデジタルカメラ３０が複数あっても、携帯電話機２０を用いて容易に通信ＩＤを送信することができるので、複数の無線端末装置の認証処理を一括して行うことが可能となり、高いセキュリティを維持したままで無線通信の認証処理を簡便に行うことが可能となる。
【０１０６】
また、本実施の形態によれば、画像データ通信終了後、無線通信で使用された通信ＩＤが消去されるので、当該通信ＩＤを悪用したなりすまし行為を防止することができ、高いセキュリティを維持することが可能となる。
【０１０７】
図７のステップＳ１０における端末登録処理について図８を用いて説明する。図８は、図７のステップＳ１０における端末登録処理の流れを示すフローチャートであり、ステップＳ１０１乃至ステップＳ１０５はデジタルカメラ３０における処理を、ステップＳ１０６乃至ステップＳ１１１は携帯電話機２０における処理を示す。なお、端末登録処理は、携帯電話機２０の有線通信部２１０とデジタルカメラ３０の有線通信部３０９とがケーブル等により１対１接続された状態で実行される。
【０１０８】
ステップＳ１０１では、図１に示したデジタルカメラ３０の操作部３０２で所定の操作が行われることにより、端末登録モードが起動される。
【０１０９】
ステップＳ１０２では、デジタルカメラ３０の表示部３０３にパスワードの入力を促す画面が表示され、デジタルカメラ３０の操作部３０２からパスワードが入力される。なおパスワードの入力は、操作部３０２からの入力に代えて、予めパスワードが記憶されたメモリカード３０４ａの装着や、パスワードが記録された画像を撮像部３０５により撮像することによって行われてもよい。
【０１１０】
ステップＳ１０３では、ステップＳ１０２で入力されたパスワードが、デジタルカメラ３０の記憶部３０４に予め記憶されたパスワードと一致するか否かが判断される。パスワードが一致すると判断された場合（ステップＳ１０３；ＹＥＳ）、ステップＳ１０４の処理が実行され、パスワードが一致しない場合（ステップＳ１０３；ＮＯ）ステップＳ１０５の処理が実行される。
【０１１１】
ステップＳ１０４では、デジタルカメラ３０の既定通信ＩＤ記憶手段３０４２に予め記憶された既定通信ＩＤが、デジタルカメラ３０の有線通信部３０９を介して携帯電話機２０に対して送信され、処理を終了する。なお、このとき既定通信ＩＤは有線通信で送信されており、盗聴や改ざんされる可能性が低いので暗号化されていない。
【０１１２】
ステップＳ１０５では、デジタルカメラ３０の表示部３０３にエラーメッセージ（例えば「処理を中止しました。」）を表示し、処理を終了する。
【０１１３】
ステップＳ１０６では、図１に示した携帯電話機２０の操作部２０２で所定の操作が行われることにより、端末登録モードが起動される。
【０１１４】
ステップＳ１０７では、携帯電話機２０の表示部２０３に、携帯電話機２０の有線通信部２１０にデジタルカメラ３０を有線接続することを促すメッセージ（例えば「登録する端末を接続してください」）を表示した状態で待機し、有線通信部２１０が端末装置の接続を確認したらステップＳ１０８の処理が実行される。
【０１１５】
ステップＳ１０８では、ステップＳ１０４でデジタルカメラ３０から送信された既定通信ＩＤが有線通信部２１０により受信される。
【０１１６】
ステップＳ１０９では、ステップＳ１０８で受信された既定通信ＩＤを他の無線端末装置に送信するときに必要となるパスワードの入力を促す画面が表示され、携帯電話機２０の操作部２０２からパスワードが入力される。
【０１１７】
ステップＳ１１０では、図４に示した既定通信ＩＤ記憶手段２０４１に、ステップＳ１０８で受信された既定通信ＩＤが、ステップＳ１０９で入力されたパスワードと対応付けて記憶される。
【０１１８】
ステップＳ１１１では、図５に示した携帯電話機２０のＩＣカード２０９に無線通信用エリアファイル２０９３が作成され、処理が終了する。
【０１１９】
以上、本実施の形態によれば、予め携帯電話機２０と無線通信可能なデジタルカメラ３０の端末登録処理が行われるので、所望の無線端末装置のみに対して通信ＩＤを送信でき、他の無線端末装置に通信ＩＤが漏洩することがない。
【０１２０】
なお、本実施の形態において端末登録モードの起動は、デジタルカメラ３０の操作部３０２及び携帯電話機２０の操作部２０２における所定の操作により実行されているが、例えば図示しない端末登録専用装置にデジタルカメラ３０及び携帯電話機２０を装着することにより自動的に起動するようにしてもよい。
【０１２１】
図７のステップＳ２０における通信ＩＤ発行処理及びステップＳ２１における通信ＩＤ受付処理について図９を用いて説明する。図９は、図７のステップＳ２０における通信ＩＤ発行処理及びステップＳ２１における通信ＩＤ受付処理の流れを示すフローチャートであり、ステップＳ２０１乃至ステップＳ２１０は受付端末１０における通信ＩＤ発行処理を、ステップＳ２１１乃至ステップＳ２１３は携帯電話機２０における通信ＩＤ受付処理を示す。
【０１２２】
ステップＳ２０１では、図１に示した受付端末１０の操作部表示１０２で所定の操作が行われることにより、通信ＩＤ発行処理が開始される。
【０１２３】
ステップＳ２０２では、受付端末１０のリーダ／ライタ１０７が起動される。
【０１２４】
ステップＳ２０３では、図２に示したＩＣカード読み取り部１４に、予め図８に示した端末登録処理を完了した携帯電話機２０の近接することを促す画面が操作表示部１０２に表示される。
【０１２５】
ステップＳ２０４では、リーダ／ライタ１０７が、ＩＣカードの近接が検知されるまで待機し、ＩＣカードの近接を検知した場合（ステップＳ２０４；ＹＥＳ）、ステップＳ２０５の処理が実行される。
【０１２６】
ステップＳ２０５では、ステップＳ２０５で起動されたリーダ／ライタ１０７とステップＳ２０４で近接が検知されたＩＣカードとの間で非接触通信が行われ、ＩＣカードにおけるエリアファイルの探索が行われる。具体的には、リーダ／ライタ１０７がエリアファイル送信要求を重畳した電力用電波信号をＩＣカードに対して送信し、ＩＣカードから送信される情報を受信する。
【０１２７】
ステップＳ２０６では、ステップＳ２０５で探索したエリアファイルに、図５に示したような無線通信用エリアファイル２０９３が含まれるか否かが判断される。無線通信用エリアファイルが含まれると判断された場合（ステップＳ２０６；ＹＥＳ）、ステップＳ２０７の処理が実行され、無線通信用エリアファイルが含まれない場合（ステップＳ２０６；ＮＯ）、ステップＳ２１０の処理が実行される。
【０１２８】
ステップＳ２０７では、受付端末１０の通信ＩＤ発行手段１０１１により通信ＩＤが発行される（通信ＩＤ発行工程）。
【０１２９】
ステップＳ２０８では、受付端末１０の計時タイマ１０１３において、タイマカウントのリセットが行われ、計時が開始される。
【０１３０】
ステップＳ２０９では、ステップＳ２０７で発行された通信ＩＤが、受付端末１０のリーダ／ライタ１０７により携帯電話機２０のＩＣカード２０９の無線通信用エリアファイル２０９３に非接触通信により送信され（通信ＩＤ非接触送信工程）、書き込まれるとともに、受付端末１０の通信ＩＤ記憶手段１０３１に記憶され、処理が終了する。
【０１３１】
ステップＳ２１０では、受付端末１０の操作表示部１０２にエラーメッセージ（例えば「カメラのＩＤが登録されていません。」）を表示し、処理を終了する。
【０１３２】
ステップＳ２１１では、ユーザにより携帯電話機２０のＩＣカード２０９が、受付端末１０のＩＣカード読み取り部１４に近づけられる。
【０１３３】
ステップＳ２１２では、非接触通信により、受付端末１０のリーダ／ライタ１０７から送信された電力用電波信号が電流に変換されてＩＣカード２０９の各部を駆動することで、携帯電話機２０のＩＣカード２０９に予め記憶されたエリアファイルが受付端末１０に対して送信される。
【０１３４】
ステップＳ２１３では、ステップＳ２０９で受付端末１０のリーダ／ライタ１０７から非接触通信により送信された通信ＩＤが、ＩＣカード２０９の無線通信用エリアファイル２０９３に書き込まれ、処理を終了する。
【０１３５】
以上、本実施の形態によれば、受付端末１０の通信ＩＤ発行手段１０１１で発行された通信ＩＤを、非接触で近接したＩＣカード２０９に非接触通信で送信するので、高いセキュリティを維持したままで通信ＩＤを携帯電話機２０に送信することが可能となる。
【０１３６】
図７のステップＳ３０における通信ＩＤ転送処理及びステップＳ３１における通信ＩＤ受付処理について図１０を用いて説明する。図１０は、図７のステップＳ３０における通信ＩＤ転送処理及びステップＳ３１における通信ＩＤ受付処理の流れを示すフローチャートであり、ステップＳ３０１乃至ステップＳ３０８は携帯電話機２０における通信ＩＤ転送処理を、ステップＳ３０９乃至ステップＳ３１３はデジタルカメラ３０における通信ＩＤ受付処理を示す。また、携帯電話機２０とデジタルカメラ３０との通信は、無線通信媒体Ｒ２を介して行われる。
【０１３７】
ステップＳ３０１では、携帯電話機２０のリーダ／ライタ２０８により、ＩＣカード２０９の無線通信用エリアファイル２０９３の書き換えがあったことを検知するまで、すなわち図９のステップＳ２１３において通信ＩＤが書き込まれるまで、携帯電話機２０のリーダ／ライタ２０８の状態検知が行われる。無線通信用エリアファイル２０９３の書き換えがあった場合（ステップＳ３０１；ＹＥＳ）、ステップＳ３０２の処理が実行される。
【０１３８】
ステップＳ３０２では、携帯電話機２０の表示部２０３にパスワードの入力を促す画面が表示され、携帯電話機２０の操作部２０２からパスワードが入力される。なおパスワードの入力は、操作部２０２からの入力に代えて、パスワード音声が移動体通話部２０５から入力されたり、パスワードが記録された画像を図示しない撮像部により撮像することによって行われてもよい。
【０１３９】
ステップＳ３０３では、ステップＳ３０２で入力されたパスワードが、図８のステップＳ１１０で既定通信ＩＤと対応付けて携帯電話機２０の既定通信ＩＤ記憶手段２０４２に記憶されたパスワードと一致するか否かが判断される。パスワードが一致すると判断された場合（ステップＳ３０３；ＹＥＳ）、ステップＳ３０４の処理が実行され、パスワードが一致しない場合（ステップＳ３０３；ＮＯ）ステップＳ３０８の処理が実行される。
【０１４０】
ステップＳ３０４では、デジタルカメラ３０との無線通信が開始される。具体的には、デジタルカメラ３０に対して無線通信部２０６を介して無線通信開始要求の信号が送信される。
【０１４１】
ステップＳ３０５では、デジタルカメラ３０から送信された既定通信ＩＤ送信要求に対応して、携帯電話機２０の既定通信ＩＤ記憶手段２０４１に記憶された既定通信ＩＤが、デジタルカメラ３０に対して無線通信部２０６を介して送信される。
【０１４２】
ステップＳ３０６では、デジタルカメラ３０から送信された通信ＩＤ送信要求に対応して、図９のステップＳ２１３においてＩＣカード２０９の無線通信用エリアファイル２０９３に書き込まれた通信ＩＤが、携帯電話機２０のリーダ／ライタ２０８により読み出される。
【０１４３】
ステップＳ３０７では、ステップＳ３０７で読み出された通信ＩＤが、携帯電話機２０の暗号化手段２０１３により暗号化されたのち、デジタルカメラ３０に対して無線通信部２０６を介して送信され（通信ＩＤ無線送信工程）、処理を終了する。
【０１４４】
ステップＳ３０９では、デジタルカメラ３０の無線通信部３０８が、ステップＳ３０４で携帯電話機２０から送信される無線通信開始要求の信号受信を待機する。無線通信部３０８が無線通信開始要求の信号を受信すると（ステップＳ３０９；ＹＥＳ）、ステップＳ３１０の処理が実行される。
【０１４５】
ステップＳ３１０では、デジタルカメラ３０の無線通信部３０８から携帯電話機２０に対して、既定通信ＩＤを要求する信号が送信される。
【０１４６】
ステップＳ３１１では、デジタルカメラ３０の認証手段３０１２により、ステップＳ３０５で携帯電話機２０から送信された既定通信ＩＤが、デジタルカメラ３０の既定通信ＩＤ記憶手段３０４２に予め記憶されたものと一致するか否かが判断される。既定通信ＩＤが一致する場合（ステップＳ３１１；ＹＥＳ）、ステップＳ３１２の処理が実行され、既定通信ＩＤが一致しない場合（ステップＳ３１１；ＮＯ）、処理が終了される。必要に応じてエラーメッセージを携帯電話機２０に送信し、携帯電話機２０の表示部２０３にエラーメッセージを表示させるようにしてもよい。
【０１４７】
ステップＳ３１２では、デジタルカメラ３０の無線通信部３０８から携帯電話機２０に対して、通信ＩＤを要求する信号が送信される。
【０１４８】
ステップＳ３１３では、ステップＳ３０７で暗号化され送信された通信ＩＤが、無線通信部３０８で受信され、復号化手段３０１４により復号化されたのち、通信ＩＤ記憶手段３０４１に記憶され（通信ＩＤ記憶工程）、処理を終了する。
【０１４９】
なお、本実施の形態において無線端末装置の認証は、ステップＳ３１１において携帯電話機２０の認証を行うのみとしているが、加えて携帯電話機２０がデジタルカメラ３０を認証する相互認証とすることにより、なりすまし等に対してセキュリティの高いものとすることができる。
【０１５０】
図７のステップＳ４０における画像データ通信処理について図１１を用いて説明する。図１１は、図７のステップＳ４０における画像通信処理の流れを示すフローチャートであり、ステップＳ４０１乃至ステップＳ４０６はデジタルカメラ３０における処理を、ステップＳ４０７乃至ステップＳ４１７は受付端末１０における処理を示す。また、受付端末１０とデジタルカメラ３０との通信は、無線通信媒体Ｒ１を介して行われる。
【０１５１】
ステップＳ４０１では、デジタルカメラ３０の通信ＩＤ記憶手段３０４２において通信ＩＤの書き換えがあったことを検知するまで、すなわち図１０のステップＳ３１３において通信ＩＤが書き込まれるまで、デジタルカメラ３０の通信ＩＤ記憶手段３０４２の状態検知が行われる。通信ＩＤ記憶手段３０４２の書き換えがあった場合（ステップＳ４０１；ＹＥＳ）、ステップＳ４０２の処理が実行される。
【０１５２】
ステップＳ４０２では、受付端末１０との無線通信が開始される。具体的には、受付端末１０に対して無線通信部３０７を介して無線通信開始要求の信号が送信される。
【０１５３】
ステップＳ４０３では、受付端末１０から送信された通信ＩＤ送信要求に対応して、デジタルカメラ３０の通信ＩＤ記憶手段３０４１に記憶された通信ＩＤが、受付端末１０に対して無線通信部３０７を介して送信される。
【０１５４】
ステップＳ４０４では、デジタルカメラ３０の記憶部３０４又はメモリカード３０４ａに記憶された画像データのうち、サムネイル画像データが読み出され、暗号化手段３０１３により暗号化されたのち、受付端末１０に対して無線通信部３０７を介して送信される。なお、サムネイル画像データとは、デジタルカメラ３０の撮像部３０５で撮像された画像データ（以下、本画像データという）のデータ容量を縮小するために、画像サイズを正規サイズ（例えば１８００×１２００画素）を、縮小サイズ（例えば３２０×２４０画素）としたり、画像データの不可逆圧縮率を高めた画像データのことである。ステップＳ４０４で送信されるサムネイル画像データには予め、当該サムネイル画像データと対応する本画像データを識別する識別情報（例えば、画像ファイル名）が付与されている。
【０１５５】
ステップＳ４０５では、デジタルカメラ３０の記憶部３０４又はメモリカード３０４ａに記憶された画像データのうち、受付端末１０から送信要求のあった本画像データが読み出され、暗号化手段３０１３により暗号化されたのち、受付端末１０に対して無線通信部３０７を介して送信される。
【０１５６】
ステップＳ４０６では、全ての本画像の送信が終了したことを通知する終了信号が受付端末１０に送信され、処理が終了する。
【０１５７】
ステップＳ４０７では、受付端末１０の無線通信部１０５が、ステップＳ４０２でデジタルカメラ３０から送信される無線通信開始要求の信号受信を待機する。無線通信部１０５が無線通信開始要求の信号を受信すると（ステップＳ４０７；ＹＥＳ）、ステップＳ４０８の処理が実行される。
【０１５８】
ステップＳ４０８では、受付端末１０の無線通信部１０５からデジタルカメラ３０に対して、通信ＩＤを要求する信号が送信される。
【０１５９】
ステップＳ４０９では、受付端末１０の認証手段１０１４により、ステップＳ４０３でデジタルカメラ３０から送信された通信ＩＤが、図９のステップＳ２０９で受付端末１０の通信ＩＤ記憶手段１０３１に記憶されたものと一致するか否かが判断される。通信ＩＤが一致する場合（ステップＳ４０９；ＹＥＳ）、ステップＳ４１０の処理が実行され、通信ＩＤが一致しない場合（ステップＳ４０９；ＮＯ）、処理が終了される。必要に応じてエラーメッセージをデジタルカメラ３０に送信し、表示部にエラーメッセージを表示させるようにしてもよい。
【０１６０】
ステップＳ４１０では、受付端末１０の無線通信部１０５からデジタルカメラ３０に対して、サムネイル画像データを要求する信号が送信される。
【０１６１】
ステップＳ４１１では、ステップＳ４０４で暗号化され送信されたサムネイル画像データが、無線通信部１０７で受信され、復号化手段１０１５により復号化されたのち、受付端末１０の操作表示部１０２にサムネイル画像として表示される。
【０１６２】
ステップＳ４１２では、ステップＳ４１１で操作表示部１０２に表示されたサムネイル画像の中から、受付端末１０に取り込んで、プリントやアップロードしたい画像が選択され、当該選択された画像が操作表示部１０２から入力される。
【０１６３】
ステップＳ４１３では、ステップＳ４１２で選択された画像と対応する本画像データの識別情報が、受付端末１０の無線通信部１０５からデジタルカメラ３０に対して、本画像データを要求する信号として送信される。
【０１６４】
ステップＳ４１４では、ステップＳ４０５で暗号化され送信された本画像データが、無線通信部１０７で受信され、復号化手段１０１５により復号化されたのち、受付端末１０の記憶部１０３に記憶される。なお、本画像データは、記憶部１０３に記憶されることなく再び暗号化されて、通信部１０４からネットワークＮを介して、図示しないストレージサーバに転送するようにしてもよい。
【０１６５】
ステップＳ４１５では、受付端末１０の無線通信部１０５が、ステップＳ４０６でデジタルカメラ３０から送信される終了信号が受信されたか否かが判断される。終了信号が受信された場合（ステップＳ４１５；ＹＥＳ）、処理が終了され、終了信号が受信されない場合（ステップＳ４１５；ＮＯ）、次の本画像データ受信があると判断されてステップＳ４１６の処理が実行される。
【０１６６】
ステップＳ４１６では、図９のステップＳ２０８で計時が開始されたタイマのカウント値が、予め定めた閾値を超えたか否か、すなわち受付端末１０の通信ＩＤ発行手段１０１１により通信ＩＤが発行されてから所定時間が経過した否かが判断される。カウント値が予め定めた閾値を超えている場合（ステップＳ４１６；ＹＥＳ）、ステップＳ４１７の処理が実行され、カウント値が閾値以下の場合（ステップＳ４１６；ＮＯ）、ステップＳ４１４の処理に戻る。
【０１６７】
ステップＳ４１７では、通信ＩＤの再発行処理が行われる。
【０１６８】
本実施の形態によれば、サムネイル画像データを先に受付端末１０に送信し、受付端末１０で選択された画像に対応する本画像データのみをデジタルカメラ３０から受付端末１０に送信するようにしたので、ユーザは本画像データが送信される間の待ち時間を節約することができる。
【０１６９】
なお、本実施の形態において無線端末装置の認証は、ステップＳ４０９においてデジタルカメラ３０の認証を行うのみとしているが、加えてデジタルカメラ３０が受付端末１０を認証する相互認証とすることにより、なりすまし等に対してセキュリティの高いものとすることができる。
【０１７０】
図１１のステップＳ４１１において受付端末１０の操作表示部１０２に表示されるサムネイル画像及びステップＳ４１２における画像の選択について、プリント注文を例に、図１２を用いて説明する。図１２は、受付端末１０の操作表示部１０２に表示される画面の一例を示す模式図である。
【０１７１】
プリント注文画面１１０は、図１１のステップＳ４０４で送信されたサムネイル画像データに基づく画像を表示するサムネイル画像表示部１１２、プリントサイズを選択するサイズ選択部１１３、プリント枚数を指定するプリント枚数入力部１１３からなる注文画像選択部１１１と、注文ボタン１１５と、キャンセルボタン１１６から構成されている。
【０１７２】
プリント注文画面１１１が表示された状態で、ユーザにより操作表示部１０２が操作されて、プリントする画像のサムネイル画像表示部１１２が押下されることで、プリントする画像が選択される。
【０１７３】
選択された画像のプリント注文内容が、サイズ選択部１１３及びプリント枚数入力部１１４が押下され、操作表示部１０２の図示しないテンキーによりパラメータの入力が行われる。画像選択とプリント注文内容入力は、プリントする画像の数だけ繰り返され、プリントする全ての画像の選択が完了すると、注文ボタン１１５が押下され、図１１のステップＳ４１３の処理が実行される。また、プリントをキャンセルする場合にはキャンセルボタン１１６が押下され、プリント注文処理は終了される。
【０１７４】
なお、本実施の形態ではプリント注文処理を例に説明したが、本画像データをユーザが所望する任意の画像保存サーバにアップロードする場合にも、図１２と同様のサムネイル画像が表示されようにし、アップロードする画像の選択は、サムネイル画像表示部１１２が押下されることで選択されるようにすればよい。
【０１７５】
図１１のステップＳ４１７で実行される通信ＩＤ再発行処理について図１３を用いて説明する。図１３は、図１１のステップＳ４１７における通信ＩＤ再発行処理の流れを示すフローチャートであり、ステップＳ６０１乃至ステップＳ６１０は受付端末１０における通信ＩＤ再発行処理を、ステップＳ６１１乃至ステップＳ６１４は携帯電話機２０における通信ＩＤ受付処理を示す。
【０１７６】
ステップＳ６０１では、受付端末１０のリーダ／ライタ１０７が起動される。
【０１７７】
ステップＳ６０２では、ステップＳ６０１で起動されたリーダ／ライタ１０７に、図９のＩＤ発行処理で使用された携帯電話機２０又は予め図８の端末登録処理が行われた携帯電話機２０の近接を促す画面が表示される。
【０１７８】
ステップＳ６０３では、リーダ／ライタ１０７が、ＩＣカードの近接が検知されるまで待機し、ＩＣカードの近接を検知した場合（ステップＳ６０３；ＹＥＳ）、ステップＳ６０４の処理が実行される。
【０１７９】
ステップＳ６０４では、リーダ／ライタ１０７とステップＳ６０３で近接が検知されたＩＣカードとの間で非接触通信が行われ、ＩＣカードにおけるエリアファイルの探索が行われる。
【０１８０】
ステップＳ６０５では、ステップＳ６０４で探索したエリアファイルのうち、無線通信用エリアファイル２０９３に、図９のステップＳ２１３で書き込まれた通信ＩＤがあるか否か、すなわち無線通信用エリアファイル２０９３に書き込まれた通信ＩＤと受付端末１０の通信ＩＤ記憶手段１０３１に記憶された通信ＩＤとが一致するか否かが判断される。通信ＩＤがある場合（ステップＳ６０５；ＹＥＳ）、ステップＳ６０６の処理が実行され、通信ＩＤがない場合（ステップＳ６０５；ＮＯ）、ステップＳ６１０の処理が実行される。
【０１８１】
ステップＳ６０６では、受付端末１０の通信ＩＤ記憶手段１０３１に記憶された通信ＩＤが、通信ＩＤ消去手段１０１２により消去される。
【０１８２】
ステップＳ６０７では、受付端末１０の通信ＩＤ発行手段１０１１により新たな通信ＩＤが再発行される。
【０１８３】
ステップＳ６０８では、受付端末１０の計時タイマ１０１３において、タイマのリセットが行われ、再発行された通信ＩＤの使用時間の計時が開始される。
【０１８４】
ステップＳ６０９では、ステップＳ６０７で発行された通信ＩＤが、受付端末１０のリーダ／ライタ１０７により携帯電話機２０のＩＣカード２０９の無線通信用エリアファイル２０９３に非接触通信により書き込まれるとともに、受付端末１０の通信ＩＤ記憶手段１０３１に記憶され、処理が終了する。
【０１８５】
ステップＳ６１０では、受付端末１０の操作表示部１０２にエラーメッセージ（例えば「処理を中断します。」）を表示し、処理を終了する。
【０１８６】
ステップＳ６１１では、ユーザにより携帯電話機２０のＩＣカード２０９が、受付端末１０のリーダ／ライタ１０７に近づけられる。
【０１８７】
ステップＳ６１２では、非接触通信により携帯電話機２０のＩＣカード２０９に予め記憶されたエリアファイルが受付端末１０に対して送信される。
【０１８８】
ステップＳ６１３では、ステップＳ６０７で再発行され、ステップＳ６０９で受付端末１０のリーダ／ライタ１０７から非接触通信により送信された通信ＩＤが、ＩＣカード２０９の無線通信用エリアファイル２０９３に上書きされる。
【０１８９】
ステップＳ６１４では、携帯電話機２０とデジタルカメラ３０との間で、図１０に示した通信ＩＤ転送処理及び通信ＩＤ受付処理が実行され、処理を終了する。
【０１９０】
このように、一定時間毎に新たな通信ＩＤが再発行されるので、仮に通信ＩＤが盗聴又は盗難されても、当該通信ＩＤを悪用して通信データの盗聴や改ざんを継続することができず、通信データの機密性及び完用性を向上することが可能となる。
【０１９１】
なお、本実施の形態において、無線端末装置としてプリント受付端末を例にとり説明したが、無線通信機能を有するプリンタに対しても適用可能である。この場合、図１の受付端末１０は、記録材上に画像データに基づく画像を形成する画像形成手段を有し、図１１のステップＳ４１４で記憶部１０３に記憶された画像ファイルに基づく画像形成を行う工程（画像形成工程）を有するものである。
【０１９２】
本発明に係る無線端末装置が適用された無線通信システムの第２の実施の形態について説明する。
【０１９３】
図１４は、本発明に係る無線端末装置が適用された第２の実施の形態に係る無線通信システムの機能的構成を概念的に示すブロック図である。なお以下の説明において、図１乃至図１３を用いて説明した第１の実施の形態に係る無線通信システムに示したものと同様の構成要素には同符号を付して説明を省略する。
【０１９４】
本発明に係る無線端末装置が適用された無線通信システムの第２の実施の形態は、受付端末装置の通信ＩＤ発行手段で発行された通信ＩＤを、非接触で近接した撮像装置のＩＣカードに非接触通信により送信し、該送信された通信ＩＤを用いて受付端末装置と撮像装置との間で無線通信を行う画像データ通信システムである。
【０１９５】
本実施の形態に係る無線通信システムは、受付端末１０と、携帯電話機２０とからなり、受付端末１０と携帯電話機２０は、無線通信媒体Ｒ１を介して互いに無線通信することができる。また、受付端末１０と携帯電話機２０とは、非接触通信媒体Ｆを介して互いに非接触通信することができる。
【０１９６】
本実施の形態において第１の実施の形態と相違する点は、携帯電話機２０が撮像部２１２及び画像処理部２１３を有しており、本発明に係る他の無線端末装置及び撮像装置として機能する点である。
【０１９７】
携帯電話機２０の撮像部２１２で撮像され、出力された画像データは、画像処理部２１３で画像処理が行われ、記憶部２０４の所定の領域に公知の画像ファイルフォーマットで記憶される。
【０１９８】
次に、本実施の形態に係る画像データ通信システムの動作の一例を説明する。
【０１９９】
図１５は、本発明に係る無線端末装置である受付端末１０及び本発明に係る他の無線端末装置である携帯電話機２０により実行される無線通信処理の流れを示すフローチャートであり、ステップＳ７０１乃至ステップＳ７２１は受付端末１０における処理を、ステップＳ７２２乃至ステップＳ７３２は携帯電話機２０における処理を示す。
【０２００】
ステップＳ７０１では、受付端末１０の操作部表示１０２で所定の操作が行われることにより、通信処理が開始される。
【０２０１】
ステップＳ７０２では、受付端末１０のリーダ／ライタ１０７が起動される。
【０２０２】
ステップＳ７０３では、受付端末１０の操作表示部１０２に、無線通信したい無線端末装置を受付端末１０のＩＣカード読み取り部１４に近接することを促す画面が表示される。
【０２０３】
ステップＳ７０４では、リーダ／ライタ１０７が、ＩＣカードの近接が検知されるまで待機し、ＩＣカードの近接を検知した場合（ステップＳ７０４；ＹＥＳ）、ステップＳ７０５の処理が実行される。
【０２０４】
ステップＳ７０５では、ステップＳ７０２で起動されたリーダ／ライタ１０７とステップＳ７０４で近接が検知されたＩＣカードとの間で非接触通信が行われ、ＩＣカードにおけるエリアファイルの探索が行われる。
【０２０５】
ステップＳ７０６では、ステップＳ７０５で探索したエリアファイルに、図５に示したような無線通信用エリアファイル２０９３が含まれるか否かが判断される。無線通信用エリアファイルが含まれると判断された場合（ステップＳ７０６；ＹＥＳ）、ステップＳ７０７の処理が実行され、無線通信用エリアファイルが含まれない場合（ステップＳ７０６；ＮＯ）、エラーメッセージ（例えば「対応していないカメラです。」）が表示され（ステップＳ７２０）、処理を終了する。
【０２０６】
ステップＳ７０７では、受付端末１０の通信ＩＤ発行手段１０１１により通信ＩＤが発行される（通信ＩＤ発行工程）。
【０２０７】
ステップＳ７０８では、受付端末１０の計時タイマ１０１３において、タイマのリセットが行われ、計時が開始される。
【０２０８】
ステップＳ７０９では、ステップＳ７０７で発行された通信ＩＤが、受付端末１０のリーダ／ライタ１０７により携帯電話機２０のＩＣカード２０９の無線通信用エリアファイル２０９３に非接触通信により送信され（通信ＩＤ非接触送信工程）、書き込まれるとともに、受付端末１０の通信ＩＤ記憶手段１０３１に記憶される。
【０２０９】
ステップＳ７１０では、受付端末１０の無線通信部１０５が、携帯電話機２０から送信される無線通信開始要求の信号受信を待機する。無線通信部１０５が無線通信開始要求の信号を受信すると（ステップＳ７１０；ＹＥＳ）、ステップＳ７１１の処理が実行される。
【０２１０】
ステップＳ７１１では、受付端末１０の無線通信部１０５から携帯電話機２０に対して、通信ＩＤを要求する信号が送信される。
【０２１１】
ステップＳ７１２では、受付端末１０の認証手段１０１４により、ステップＳ７１１の要求に対応して携帯電話機２０から送信された通信ＩＤが、ステップＳ７０９で受付端末１０の通信ＩＤ記憶手段１０３１に記憶されたものと一致するか否かが判断される。通信ＩＤが一致する場合（ステップＳ７１２；ＹＥＳ）、ステップＳ７１３の処理が実行され、通信ＩＤが一致しない場合（ステップＳ７１２；ＮＯ）、エラーメッセージ（例えば「認証に失敗しました。」）が表示され（ステップＳ７２１）、処理が終了される。必要に応じてエラーメッセージを携帯電話機２０に送信し、表示部にエラーメッセージを表示させるようにしてもよい。
【０２１２】
ステップＳ７１３、ステップＳ７１４、ステップＳ７１５、ステップＳ７１６及びステップＳ７１７では、図１１のステップＳ４１０乃至ステップＳ４１４で説明した処理と同様に、携帯電話機２０に対して、サムネイル画像データを要求する信号が送信され、携帯電話機２０から送信されたサムネイル画像データが復号化されて操作表示部１０２に表示され、選択された画像の本画像データを要求する信号が携帯電話機２０に送信され、該要求信号に対して送信された本画像データが復号化されて記憶部１０３又はリムーバブルメモリ１０３ａに書き込まれる。
【０２１３】
ステップＳ７１８では、受付端末１０の無線通信部１０５が、携帯電話２０から送信される終了信号が受信されたか否かが判断される。終了信号が受信された場合（ステップＳ７１８；ＹＥＳ）、通信ＩＤ消去手段１０１２により通信ＩＤ記憶手段１０３１に記憶された通信ＩＤが消去された後（ステップＳ７１９）、処理が終了され、終了信号が受信されない場合（ステップＳ７１８；ＮＯ）、次の本画像データ受信があると判断されてステップＳ７１６の処理が実行される。
【０２１４】
ステップＳ７２２では、ユーザにより携帯電話機２０のＩＣカード２０９が、受付端末１０のＩＣカード読み取り部１４に近づけられる。
【０２１５】
ステップＳ７２３では、非接触通信により、受付端末１０のリーダ／ライタ１０７から送信された電力用電波信号が電流に変換されてＩＣカード２０９の各部を駆動することで、携帯電話機２０のＩＣカード２０９に予め記憶されたエリアファイルが受付端末１０に対して送信される。
【０２１６】
ステップＳ７２４では、ステップＳ７０９で受付端末１０のリーダ／ライタ１０７から非接触通信により送信された通信ＩＤが、ＩＣカード２０９の無線通信用エリアファイル２０９３に書き込まれる。
【０２１７】
ステップＳ７２５では、携帯電話機２０のリーダ／ライタ２０８により、ステップＳ７２４でＩＣカード２０９に書き込まれた通信ＩＤを読み取られ、読み取られた通信ＩＤは携帯電話機２０の通信ＩＤ記憶手段２０４１に記憶される。
【０２１８】
ステップＳ７２６では、受付端末１０に対して携帯電話機２０の無線通信部２０６を介して無線通信開始要求の信号が送信される。
【０２１９】
ステップＳ７２７では、受付端末１０から送信された通信ＩＤ送信要求に対応して、携帯電話機２０の通信ＩＤ記憶手段２０４１に記憶された通信ＩＤが、受付端末１０に対して無線通信部２０６を介して送信される。
【０２２０】
ステップＳ７２８では、携帯電話機２０の記憶部２０４に記憶された画像データのうち、サムネイル画像データが読み出され、暗号化手段２０１３により暗号化されたのち、受付端末１０に対して送信される。
【０２２１】
ステップＳ７２９では、携帯電話機２０の記憶部２０４に記憶された画像データのうち、ステップＳ７１６で受付端末１０から送信要求のあった本画像データが読み出され、暗号化手段２０１３により暗号化されたのち、受付端末１０に対して送信される。
【０２２２】
ステップＳ７３０では、ステップＳ７１６で要求された本画像データの全てが送信されたか否かが判断される。全ての本画像データが送信された場合（ステップＳ７３０；ＹＥＳ）、次の本画像データ送信があると判断されてステップＳ７２９の処理が実行される。
【０２２３】
ステップＳ７３１では、全ての本画像の送信が終了したことを通知する終了信号が受付端末１０に送信される。
【０２２４】
ステップＳ７３２では、通信ＩＤ消去手段２０１５により通信ＩＤ記憶手段２０４１に記憶された通信ＩＤが消去された後、処理が終了される。
【０２２５】
本実施の形態によれば、無線通信を行う度に受付端末１０で発行される通信ＩＤを非接触通信により携帯電話機２０に送信し、当該送信された通信ＩＤを用いて受付端末１０と携帯電話機２０との間で無線通信が行われ、該無線通信が終了した後、受付端末１０と携帯電話機２０との双方に記憶されている通信ＩＤを消去するので、通信ＩＤを悪用したなりすまし行為を防止することができ、高いセキュリティを維持したままで無線通信の認証処理を簡便に行うことが可能となる。
【０２２６】
本実施の形態では、一定時間毎に通信ＩＤが再発行される。一定時間毎に実行される通信ＩＤ再発行処理について図１６を用いて説明する。図１６は、本実施の形態における通信ＩＤ再発行処理の流れを示すフローチャートであり、ステップＳ８０１乃至ステップＳ８１４は受付端末１０における処理を、ステップＳ８１５乃至ステップＳ８１９は携帯電話機２０における処理を示す。なお、本実施の形態に係る通信ＩＤ再発行処理は割り込み処理として、図１５に示した通信処理が実行されている間、一定時間毎に実行されるものとする。
【０２２７】
ステップＳ８０１では、図１５のステップＳ７０８で計時を開始した計時タイマ１０１３のタイマカウントが、予め定められた閾値を越えるまで待機し、タイマカウントが閾値を越えた場合（ステップＳ８０１；ＹＥＳ）、ステップＳ８０２の処理が実行される。
【０２２８】
ステップＳ８０２では、受付端末１０と携帯電話機２０との無線通信が一時停止される。
【０２２９】
ステップＳ８０３では、受付端末１０のリーダ／ライタ１０７が起動される。
【０２３０】
ステップＳ８０４では、受付端末１０の操作表示部１０２に、無線通信していた携帯電話機２０をステップＳ８０３で起動されたリーダ／ライタ１０７に近接することを促す画面が表示される。
【０２３１】
ステップＳ８０５では、リーダ／ライタ１０７が、ＩＣカードの近接が検知されるまで待機し、ＩＣカードの近接を検知した場合（ステップＳ８０５；ＹＥＳ）、ステップＳ８０６の処理が実行される。
【０２３２】
ステップＳ８０６では、リーダ／ライタ１０７とステップＳ８０５で近接が検知されたＩＣカードとの間で非接触通信が行われ、ＩＣカードにおけるエリアファイルの探索が行われる。
【０２３３】
ステップＳ８０７では、ステップＳ８０６で探索したエリアファイルのうち、無線通信用エリアファイル２０９３に、図１５のステップＳ７２４で書き込まれた通信ＩＤがあるか否か、すなわち無線通信用エリアファイル２０９３に書き込まれた通信ＩＤと受付端末１０の通信ＩＤ記憶手段１０３１に記憶された通信ＩＤとが一致するか否かが判断される。通信ＩＤがある場合（ステップＳ８０７；ＹＥＳ）、ステップＳ８０８の処理が実行され、通信ＩＤがない場合（ステップＳ８０７；ＮＯ）、ステップＳ８１３の処理が実行される。
【０２３４】
ステップＳ８０８では、受付端末１０の通信ＩＤ記憶手段１０３１に記憶された通信ＩＤが、通信ＩＤ消去手段１０１２により消去される。
【０２３５】
ステップＳ８０９では、受付端末１０の通信ＩＤ発行手段１０１１により新たな通信ＩＤが再発行される。
【０２３６】
ステップＳ８１０では、受付端末１０の計時タイマ１０１３において、タイマのリセットが行われ、再発行された通信ＩＤの使用時間の計時が開始される。
【０２３７】
ステップＳ８１１では、ステップＳ８０９で発行された通信ＩＤが、受付端末１０のリーダ／ライタ１０７により携帯電話機２０のＩＣカード２０９の無線通信用エリアファイル２０９３に非接触通信により書き込まれるとともに、受付端末１０の通信ＩＤ記憶手段１０３１に記憶される。
【０２３８】
ステップＳ８１２では、受付端末１０と携帯電話機２０との無線通信が再開される。すなわち、ステップＳ８０９で発行された通信ＩＤによる携帯電話機２０の認証が行われたのち、一時停止していた無線通信が続行される。
【０２３９】
ステップＳ８１３では、受付端末１０の操作表示部１０２にエラーメッセージ（例えば「処理を中断します。」）が表示され、受付端末１０の通信ＩＤ記憶手段１０３１に記憶された通信ＩＤが、通信ＩＤ消去手段１０１２により消去された後（ステップＳ８１４）、処理を終了する。
【０２４０】
ステップＳ８１５では、ステップＳ８０４で表示された指示に従ったユーザにより携帯電話機２０のＩＣカード２０９が、受付端末１０のリーダ／ライタ１０７に近づけられる。
【０２４１】
ステップＳ８１６では、非接触通信により携帯電話機２０のＩＣカード２０９に予め記憶されたエリアファイルが受付端末１０に対して送信される。
【０２４２】
ステップＳ８１７では、ステップＳ８０９で再発行され、ステップＳ８１１で受付端末１０のリーダ／ライタ１０７から非接触通信により送信された通信ＩＤが、ＩＣカード２０９の無線通信用エリアファイル２０９３に上書きされる。
【０２４３】
ステップＳ８１８では、携帯電話機２０のリーダ／ライタ２０８により、ステップＳ８１７でＩＣカード２０９に書き込まれた通信ＩＤを読み取られ、読み取られた通信ＩＤは携帯電話機２０の通信ＩＤ記憶手段２０４１に上書きされる。
【０２４４】
ステップＳ８１９では、受付端末１０と携帯電話機２０との無線通信が再開される。すなわち、ステップＳ８１７で書き込まれた通信ＩＤが受付端末１０に送信されたのち、一時停止していた無線通信が続行され、図１５に示した処理が実行される。
【０２４５】
このように、一定時間毎に新たな通信ＩＤが再発行されるので、仮に通信ＩＤが盗聴又は盗難されても、当該通信ＩＤを悪用して通信データの盗聴や改ざんを継続することができず、通信データの機密性及び完用性を向上することが可能となる。
【０２４６】
本発明の目的は前述した実施形態の機能を実現するソフトウェアのプログラムを記録した記憶媒体を、システムあるいは装置に供給し、そのシステムあるいは装置のコンピュータ（ＣＰＵ若しくはＭＰＵ）が記憶媒体に格納されたプログラムを読み出し実行することによっても、達成されることは言うまでもない。
【０２４７】
この場合、記録媒体から読み出されたプログラム自体が前述した実施形態の機能を実現することになり、そのプログラム及び該プログラムを記憶した記録媒体は本発明を構成することになる。
【０２４８】
プログラムを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０２４９】
また、コンピュータが読み出したプログラムを実行することにより、前述した実施形態の機能が実現されるだけでなく、そのプログラムの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【０２５０】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【０２５１】
その他、無線端末装置を構成する各構成の細部構成及び細部動作に関しても、本発明の趣旨を逸脱することのない範囲で適宜変更可能である。
【図面の簡単な説明】
【０２５２】
【図１】本発明に係る無線端末装置が適用された第１の実施の形態に係る通信システムの機能的構成を概念的に示すブロック図である。
【図２】第１の実施の形態に係る無線通信システムを構成する無線端末装置群の外観図である。
【図３】図１の受付端末の制御部及び記憶部の内部構成を示すブロック図である。
【図４】図１の携帯電話機の制御部及び記憶部の内部構成を示すブロック図である。
【図５】図１の携帯電話機のＩＣカードの内部構成を示すブロック図である。
【図６】図１のデジタルカメラの制御部及び記憶部の内部構成を示すブロック図である。
【図７】第１の実施の形態に無線通信システムにより実行される無線通信処理の流れを示すフローチャートである。
【図８】図７における端末登録処理の流れを示すフローチャートである。
【図９】図７における通信ＩＤ発行処理及び通信ＩＤ受付処理の流れを示すフローチャートである。
【図１０】図７における通信ＩＤ転送処理及び通信ＩＤ受付処理の流れを示すフローチャートである。
【図１１】図７における画像データ通信処理の流れを示すフローチャートである。
【図１２】受付端末のディスプレイに表示される画面の一例を示す模式図である。
【図１３】図１１における通信ＩＤ再発行処理の流れを示すフローチャートである。
【図１４】本発明に係る無線端末装置が適用された第２の実施の形態に係る無線通信システムの機能的構成を概念的に示すブロック図である。
【図１５】第２の実施の形態に無線通信システムにより実行される無線通信処理の流れを示すフローチャートである。
【図１６】第２の実施の形態に無線通信システムにより実行される通信ＩＤ再発行処理の流れを示すフローチャートである。
【符号の説明】
【０２５３】
１０  受付端末
１０１、２０１、３０１  制御部
１０２  操作表示部
１０３、２０４、３０４  記憶部
１０３ａ、３０４ａ  リムーバブルメモリ
１０４  通信部
１０５、２０６、３０７  無線通信部
１０６、２０７  アンテナ
１０７、２０８  リーダ／ライタ
２０  携帯電話機
２０２、３０２  操作部
２０３、３０３  表示部
２０５  移動体通話部
２０９  ＩＣカード
２１０、３０９  有線通信部
３０  デジタルカメラ
３０５  撮像部
３０６  画像処理部
Ｆ  非接触通信
Ｍ  移動体通信網
Ｎ  ネットワーク
Ｒ１、Ｒ２  無線通信媒体
【図１】
2006195627.tif 000003
【図２】
2006195627.tif 000004
【図３】
2006195627.tif 000005
【図４】
2006195627.tif 000006
【図５】
2006195627.tif 000007
【図６】
2006195627.tif 000008
【図７】
2006195627.tif 000009
【図８】
2006195627.tif 000010
【図９】
2006195627.tif 000011
【図１０】
2006195627.tif 000012
【図１１】
2006195627.tif 000013
【図１２】
2006195627.tif 000014
【図１３】
2006195627.tif 000015
【図１４】
2006195627.tif 000016
【図１５】
2006195627.tif 000017
【図１６】
2006195627.tif 000018